(57)【要約】【課題】ヒュージブルリンクおよびヒューズを取り付ける電気接続箱の小型化、部品点数削減を図る。【解決手段】縦バスバーの長手方向に延在する基板部の下端よりバッテリ接続用の入力端子とオルタネータ接続用の入力端子を突設し、これら入力端子の間の基板部下端より細幅部を備えたヒュージブルリンク部を並設状態で突設し、かつ、該基板部の上端よりヒューズ入力端子と接続する複数のヒューズ接続用端子部を突設しており、この縦バスバーをヒューズ入力端子を収容するヒューズ入力端子用キャビテイ部を一体に設けた状態で樹脂モールドしてバスバーモールド部材を設け、該バスバーモールド部材を電気接続箱のケース内に垂直方向に貫通させて着脱可に組み込んでいる。【選択図】    図３
2004328957.tif 000002
【特許請求の範囲】
【請求項１】
縦バスバーの長手方向に延在する基板部の下端より第１バッテリ接続用の入力端子とオルタネータ接続用の入力端子を突設していると共に、これら入力端子の間の上記基板部下端より細幅部を備えたヒュージブルリンク部を並設状態で突設している一方、上記基板部の上端よりヒューズ入力端子と接続する複数のヒューズ接続用端子部を突設し、
上記縦バスバーを上記ヒューズ入力端子を収容するヒューズ入力端子用キャビテイ部を一体に設けた状態で樹脂モールドしてバスバーモールド部材を設け、該バスバーモールド部材を電気接続箱のケース内に垂直方向に貫通させて着脱可に組み込み、
上記電気接続箱のケースに一体的に設けたヒューズ出力端子用キャビテイ部と、上記バスバーモールド部材のヒューズ入力端子用キャビテイ部を並設することにより、ヒューズ収容部を形成していると共に、該ヒューズ収容部の下方に上記縦バスバーのヒュージブルリンク部を配置していることを特徴とする自動車用電気接続箱。
【請求項２】
上記縦バスバーの基板部には被切断部を介して延在部を設け、該延在部の下端に第２バッテリー接続用の入力端子を突設していると共に、上端よりヒューズ接続用端子部を並列に突設し、上記第２バッテリーを付設する際に上記被切断部を切断して第２バッテリーとの接続回路を設けている請求項１に記載の自動車用電気接続箱。
【発明の詳細な説明】
【０００１】
【発明の属する技術分野】
本発明は自動車電気接続箱に関し、詳しくは、大容量ヒューズのヒュージブルリンクと、その下流にヒューズを収容する電気接続箱において、別部材のヒュージブルリンクを搭載することなく、ヒュージブルリンクとバッテリー接続用の入力端子部と下流のヒューズと接続する出力端子部と共に一体的に設け、電気接続箱の小型化、構成部品の削減を且つ、バッテリーとの接続回路の変更にも対応できるようにするものである。
【０００２】
【従来の技術】
従来、この種のヒュージブルリンクとヒューズとを収容する電気接続箱として、特開平１０−６９８４９号（特許文献１）が提供されている。該電気接続箱では、図６に示すように、複数のヒュージブルリンクを取り付けるヒュージブルリンク専用ブロック１と、複数のヒューズを取り付けるヒューズ専用ブロック２とを別個に設け、これら各ブロックに夫々バスバーを収容してヒュージブルリンク、ヒューズと接続し、該ヒュージブルリンクに接続したバスバーとヒューズに接続したバスバーとをハーネス３で接続する構成とされている。
【０００３】
また、図７に回路構成で示すように、ヒュージブルリンク専用ブロック１に収容してヒュージブルリンク５の出力端と接続したハーネス３の電線ｗとヒューズ専用ブロック２に収容したヒューズ６との接続は、図８に示すように、電線ｗに圧着バスバー７を接続し、該圧着バスバー７に複数のヒューズ接続用端子７ａを並設した構成とされていることが多い。
【０００４】
【特許文献１】
特開平１０−６９８４９号公報
【０００５】
【発明が解決しようとする課題】
上記のように、電気接続箱が２つのブロックからなり、かつ、これらブロックに収容したバスバーをハーネスで接続しているため、構成部品点数が非常に多く、組み立て手数もかかり、その結果、コスト高になる問題がある。
特に、ブロック間をハーネスで接続して、該ハーネスの電線端末に夫々端子を圧着して接続を図っている点で、部品点数と作業工数が増加する問題がある。
さらに、別部材のヒュージブルリンクはかなり大きく、このヒュージブルリンクを複数搭載するヒュージブルリンク専用ブロックは大型化し、その上、ヒューズ専用ブロックも必要とするため、大きな設置スペースが必要となる問題がある。
【０００６】
本発明は上記した問題に鑑みてなされたもので、２つのブロックに分割されていたものを１つとすると共にハーネスの接続を廃止して、電気接続箱の小型化を図ると共に、構成部品点数の削減を図り、それに伴いコストを低減することを課題としている。
【０００７】
【課題を解決するための手段】
上記課題を解決するため、本発明は、縦バスバーの長手方向に延在する基板部の下端より第１バッテリ接続用の入力端子とオルタネータ接続用の入力端子を突設していると共に、これら入力端子の間の上記基板部下端より細幅部を備えたヒュージブルリンク部を並設状態で突設している一方、上記基板部の上端よりヒューズ入力端子と接続する複数のヒューズ接続用端子を突設し、
上記縦バスバーを樹脂モールドしてバスバーモールド部材を設け、該バスバーモールド部材は上記ヒューズ入力端子を収容するヒューズ入力端子用キャビテイ部を一体に設け、該バスバーモールド部材を電気接続箱のケース内に垂直方向に貫通させて着脱可に組み込み、
上記電気接続箱のケースに一体的に設けたヒューズ出力端子用キャビテイ部と、上記バスバーモールド部材のヒューズ入力端子用キャビテイ部を並設することにより、ヒューズ収容部を形成していると共に、該ヒューズ収容部の下方に上記縦バスバーのヒュージブルリンク部を配置していることを特徴とする自動車用電気接続箱を提供している。
【０００８】
上記構成からなる電気接続箱においては、別体で形成されていたヒュージブルリンクを縦バスバーに細幅部を設けて一体的に設け、インテグレーテッドヒュージブルリンクとしているため、別部材のヒュージブルリンクを搭載する必要がない。また、このヒュージブルリンク部を一体的に設けた縦バスバーに、バッテリー接続用およびオルタネータ接続用の入力端子も一体的に設けて入力回路を一体化し、さらに、ヒュージブルリンク部の下流に設けるヒューズ入力端子との接続される端子部も一体的に設け、１つの縦バスバーをヒュージブルリンク部、バッテリー側入力端子、ヒューズ接続端子を全て一体的に設けているため、構成部品を飛躍的に減少させることができる。
【０００９】
さらに、上記縦バスバーを電気接続箱内部に垂直に配置し、バッテリーおよびオルタネータとの接続用入力端子とヒュージブルリンク部とは下方に位置させる一方、ヒューズの入力端子と接続するヒューズ接続用端子部は上方に位置させ、ケース上面にヒューズを搭載できる構造として、ケース内部を立体的に利用しているため、電気接続箱の小型化を図ることができ、従来の２つのブロックを設けた場合と比較して、占有スペースを非常に少なくすることができる。
【００１０】
さらにまた、ヒュージブルリンク部の細幅部および、回路接続する入力端子、ヒューズ接続用端子を除いて縦バスバーを樹脂モールドしているため、縦バスバーが変形しないように強度を高めることができる。
特に、ヒューズの入力端子と接続するヒューズ接続用端子は一体成形したヒューズ入力端子用キャビテイ部に突出させて保持しているため、該ヒューズ接続用端子を係止する可撓性を有するランス等の係止部を設ける必要がなく、構成を簡単化することができ、該ヒューズ接続用端子を保護しながら位置決め精度を高めることができる。
【００１１】
かつ、ヒュージブルリンク部が溶断した時には縦バスバーをケースより取り出す必要があるが、其の際、ヒューズの入力端子と接続する接続端子および該入力側キャビテイ部のみが取り外される。出力側キャビテイ部はケースと一体化されているため取り外されず、該出力側キャビテイ部に挿入係止されている電線端末の端子を取り外す必要はなくなる。例えば、入出力端子用のキャビテイ部を備えたヒューズ収容ケースを別体に設けて電気接続箱に取り付ける構成とすると、縦バスバーをケースより取り外す時、ヒューズ収容ケースも取り外す必要があるが、本発明のように、入力側と出力側のキャビテイを分割し、入力側はバスバーモールド部材に設け、出力側はケースに設けておくと、ヒューズ収容ケースを取り外す必要がなくなる。
このように、ヒューズ収容キャビテイは、入力端子側のキャビテイ部をバスバーモールド部材に設ける一方、出力端子のキャビテイ部をケース側に設け、半割り形状とすると、ヒュージブルリンク部の溶断時の作業性を高めることができる。
【００１２】
上記縦バスバーに形成するヒューズ接続用端子は、先端よりスロットを設けた圧接端子とすると、ヒューズのタブをスロットに差し込み接続するだけで電気接続でき、中継端子を不要とすることができる。
【００１３】
また、上記縦バスバーの基板部には被切断部を介して延在部を設け、該延在部の下端に第２バッテリ接続用の入力端子を突設していると共に、上端よりヒューズ接続用端子部を並列に突設し、上記第２バッテリを付設する際に上記被切断部を切断して第２バッテリとの接続回路を設けている。
【００１４】
上記にように縦バスバーに予め第２バッテリ接続用の入力端子を設けておくと、第２バッテリを付設する車両においては、被切断部を切断することで第１バッテリとの回路を分断して使用することができる。なお、第２バッテリを付設しない車両では、該第２バッテリ接続用の入力端子は、他の端子と接続されないため、切断せずにそのまま使用しても問題はない。
【００１５】
【発明の実施の形態】
以下、本発明の実施形態を図面を参照して説明する。
図１乃至図４は第１実施形態を示し、図１に示す電気接続箱１０のケース１１内部には、縦バスバーを樹脂モールドしたバスバーモールド部材を垂直に組み込み、ケース１１の上面にヒューズ、リレーを搭載し、ケース１１の下部でバッテリおよびオルタネータ接続用の電線を上記縦バスバーの入力端子と接続させる構成としている。
【００１６】
縦バスバー１２は図２に示す形状で、導電性金属板を打ち抜き加工して形成している。該縦バスバー１２は長手方向に延在する基板部１２ａの下端より第１バッテリ接続用のタブ形状の入力端子１３とオルタネータ接続用のタブ形状の入力端子１４を突設している。これら入力端子１３と１４の間の基板部１２ａの下端より細幅な細幅部１５ａを備えたヒュージブルリンク部１５を並設状態で突設し、細幅部１５ａを挟んで基板部１２ａと接続するヒュージブルリンク部１５の先端部はタブ１５ｂとしている。基板部１２ａの上端よりヒューズ入力端子と接続する複数のヒューズ接続用端子１６を突設している。これらヒューズ接続用端子１６は上端よりスロット１６ａを切り込んだ圧接端子としている。
【００１７】
上記縦バスバー１２を図３（Ａ）（Ｂ）に示すように、樹脂モールドしてバスバーモールド部材１８を設けている。バスバーモールド部材１８は、ヒュージブルリンク部１５の細幅部１５ａは露出させると共に、入力端子１３、１４は露出させている。かつ、ヒューズ２０の入力端子２０ａを収容するヒューズ入力端子用のキャビテイ部１９を並列させて一体に設け、該キャビテイ部１９に上記ヒューズ接続用端子１６を突出させている。該キャビテイ部１９はヒューズ収容部の半割り部を構成している。
【００１８】
上記バスバーモールド部材１８は電気接続箱１０のケース１１内において、図１中でケース１１の左側辺１１ａの内面に沿って垂直方向に貫通させて着脱可に組み込んでいる。即ち、バスバーモールド部材１８の外面に係止部（図示せず）を設け、該係止部をケース１１の内面に形成した被係止部（図示せず）に係止している。
【００１９】
ケース１１には、バスバーモールド部材１８の挿入孔に沿った上面にヒューズ２０の出力端子２０ｂを収容するヒューズ出力端子用のキャビテイ部２１を並設している。このキャビテイ部２１は、バスバーモールド部材１８をケース１１内に組み込んだ時、該バスバーモールド部材１８のキャビテイ部１９と並列され、キャビテイ部１９とキャビテイ部２１とでヒューズ収容部２２を形成している。さらに、ケース１１の上面にはリレー収容部２３も形成し、該リレー収容部２３の端子収容部にはケース１１の下面開口から電線端末に接続された端子が挿入係止され、搭載されるリレーと接続される構成としている。
【００２０】
縦バスバー１２をモールドしたバスバーモールド部材１８をケース１１内に組み込んだ電気接続箱１０では、下方に突出するバッテリ接続用の入力端子１３に電源線ｗ１の端末に接続されたメス端子２５を嵌合接続すると共に、オルタネータ接続用の入力端子１４に電線ｗ２の端末に接続されたメス端子２６を嵌合接続している。また、ヒュージブルリンク部１５のタブ１５ｂに電線に接続されたメス端子を夫々嵌合接続している。
【００２１】
ケース１１の上面に露出するキャビテイ部１９は、前述したように、ケース１１のキャビテイ部２１と並設されて複数のヒューズ２０を並列状態で装着するヒューズ収容部２２を構成し、該ヒューズ収容部２２にヒューズ２０を搭載している。該ヒューズ２０の入力端子２０ａはキャビテイ１９に挿入して、縦バスバー１２のヒューズ接続用端子１６と圧接接続される一方、出力端子２０ｂは下方から挿入係止される電線ｗ３の端末の端子２８と接続される。
【００２２】
電気接続箱１０内の回路は、図４に示すように、縦バスバー１２の入力端子１３から供給される電源を基板部１２ａでヒュージブルリンク部１５へ分配し、該ヒュージブルリンク部１５の一部は出力側タブ１５ｂを直接電線に接続している。  基板部１２ａの上端に突設したヒューズ接続用端子１６はヒューズ２０の入力端子２０ａと接続され、バッテリ→入力端子１３→基板部１２ａ→ヒュージブルリンク部１５→基板部１２ａ→ヒューズ接続用端子１６→ヒューズ２０の入力端子２０ａと回路が形成される。
【００２３】
上記構成からなる電気接続箱１０では、縦バスバー１２にヒュージブルリンク部１５を一体に形成しているため、別体のヒュージブルリンクを搭載する必要がない。かつ、縦バスバー１２にヒューズ接続用端子１６も一体的に形成しているため、縦バスバー１２で前記図６〜図８に示すハーネスおよび圧着バスバー７を吸収でき、縦バスバー１２により電源側とヒューズとの間をヒュージブルリンク部を介在させてヒューズと接続することができる。
また、縦バスバー１２をモールドしたバスバーモールド部材１８をケース１１内に垂直方向に組み込み、下部に電源側接続部およびヒュージブルリンク部を設ける一方、上方にヒューズ接続用のキャビテイ部１９を設けているため、ケース１１内を立体的に利用でき、電気接続箱１０の小型化を図ることができる。
さらに、ヒューズ収容部は入力側キャビテイ部をバスバーモールド部材１８に設ける一方、出力側キャビテイ部をケース１１に設けて分割型としているため、ヒュージブルリンク部１５が溶断して縦バスバー１２の交換作業が必要となった場合、ヒューズの出力端子と接続される電線を取り外す必要がなく、作業性を高めることができる。
【００２４】
図５は第２実施形態を示し、第２バッテリが車両に搭載された場合にも対応できるようにしている。
縦バスバー１２’には、基板部１２ａ’に被切断部１２ｃ’を介して延在部１２ｄ’を設け、延在部の１２ｄ’の下端に第２バッテリ接続用の入力端子３０を突設すると共に、上端よりヒューズ接続用端子部３１を並列に突設している。
延在部１２ｄ’以外の構成は第１実施形態と同様であるため、同一符号を付す。また、該縦バスバー１２’を樹脂モールドしてバスバーモールド部材を設け、該バスバーモールド部材をケース内に垂直方向に組み込む等、他の構成は第１実施形態と同様であるため、説明を省略する
【００２５】
この第２実施形態では、車両に第２バッテリ（図示せず）を付設する際、被切断部１２ｃ’で切断し、入力端子１３を介して接続されるバッテリ（第１バッテリ）側の回路となる基板部１２ａ’と、第２バッテリに入力端子３０を接続して第２バッテリとの接続回路となる延在部１２ｄ’とを切り離している。
【００２６】
上記にように、縦バスバー１２’に予め第２バッテリ接続用の入力端子３０を設けておくと、第２バッテリを付設する車両においては、被切断部１２ｃ’を切断することで、第１バッテリ回路と分断された第２バッテリ回路を簡単に設けることができる。
なお、第２バッテリを付設しない車両では、該第２バッテリ接続用の入力端子は、他の端子と接続されないため、切断せずにそのまま使用しても問題はない。
【００２７】
【発明の効果】
以上の説明より明らかなように、本発明によれば、ヒュージブルリンク部および電源側の入力端子、ヒューズの入力端子と接続するヒューズ接続用端子を縦バスバーに一体的に設けているため、構成部品を非常に少なくできる。かつ、ヒュージブルリンク専用ブロックとヒューズ専用ブロックを設ける必要はなく、１つのケースにまとめることができるため、小型化を図ることができる。さらに、縦バスバーを樹脂モールドしたバスバーモールド部材をケース内部に垂直に組み込んで立体的に接続部品と接続させているため、１つにまとめたケースをさらに小型化することが出来る等の種々の利点を有するものである。
【図面の簡単な説明】
【図１】第１実施形態の電気接続箱を示し、（Ａ）は平面図、（Ｂ）は正面図である。
【図２】縦バスバーの正面図である。
【図３】縦バスバーをモールドしたバスバーモールド部材を示し、（Ａ）は平面図、（Ｂ）は正面図である。
【図４】縦バスバーを用いた回路図である。
【図５】第２実施形態の縦バスバーの正面図である。
【図６】従来例を示す斜視図である。
【図７】従来の回路図である。
【図８】従来用いられていた圧着バスバーを示す図面である。
【符号の説明】
１０  電気接続箱
１１  ケース
１２  縦バスバー
１３  バッテリ接続用の入力端子
１４  オルタネータ接続用の入力端子
１５  ヒュージブルリンク部
１６  ヒューズ接続用端子
１９  ヒューズ入力端子用のキャビテイ部
２０  ヒューズ
２１  ヒューズ出力端子用のキャビテイ部
【図１】
2004328957.tif 000003
【図２】
2004328957.tif 000004
【図３】
2004328957.tif 000005
【図４】
2004328957.tif 000006
【図５】
2004328957.tif 000007
【図６】
2004328957.tif 000008
【図７】
2004328957.tif 000009
【図８】
2004328957.tif 000010